(57)【要約】【課題】ファイルを送信する側の操作性を向上する。【解決手段】このクライアント・サーバシステムのクライアント２ａ，２ｂは、添付対象のファイルが記憶されたファイル記憶部２０と、添付ファイル操作用の画面（以下操作画面と称す）を表示する画面表示部２１と、操作画面より添付ファイルとして指定されたファイルを検索する添付ファイル入力（検索）部２２と、検索された添付対象のファイルに、操作画面に入力された別名称を関連付ける別名称入力部２３と、添付ファイルとこの添付ファイルに関連付けられた別名称とを送信する添付ファイル・別名称送信部２４とを備える。【選択図】      図２
2004287854.tif 000002
【特許請求の範囲】
【請求項１】
ネットワーク上の資料ファイル管理装置へ資料ファイルを送信する資料ファイル送信装置において、
資料ファイルが記憶されたファイル記憶部と、
資料ファイル操作用の画面を表示する画面表示部と、
前記画面より送信すべき資料ファイルとして指定されたファイルを前記ファイル記憶部より検索する検索部と、
検索されたファイルに前記画面に入力された別名称を関連付ける別名称入力部と、
指定された資料ファイルと別名称とをネットワークを通じて前記資料ファイル管理装置へ送信する送信部と
を具備したことを特徴とする資料ファイル送信装置
【請求項２】
資料ファイルとその資料ファイルの別名称をネットワークを通じて受信する受信部と、
前記受信部により受信された資料ファイルおよび別名称に対する管理用のキー情報を発行するキー情報発行部と、
前記キー情報発行部により発行されたキー情報と、受信された前記別名称とを対応付けて登録するキー情報別名称登録部と、
前記キー情報発行部により発行されたキー情報をフォルダ名としたフォルダを作成してそのフォルダの配下に、受信された資料ファイルを登録するファイル登録部と
を具備したことを特徴とする資料ファイル管理装置。
【請求項３】
ネットワーク上の資料ファイル管理装置へ資料ファイルを送信する資料ファイル送信装置に処理を実行させる資料ファイル送信プログラムにおいて、
前記資料ファイル送信装置を、
資料ファイルが記憶されたファイル記憶部と、
資料ファイル操作用の画面を表示する画面表示部と、
前記画面より送信すべき資料ファイルとして指定されたファイルを前記ファイル記憶部より検索する検索部と、
検索されたファイルに前記画面に入力された別名称を関連付ける別名称入力部と、
指定された資料ファイルと別名称とをネットワークを通じて前記資料ファイル管理装置へ送信する送信部
として機能させることを特徴とする資料ファイル送信プログラム。
【請求項４】
ネットワーク上の資料ファイル管理装置へ資料ファイルを送信する資料ファイル送信方法において、
資料ファイル操作用の画面を表示するステップと、
前記画面より送信すべき資料ファイルとして指定されたファイルを、資料ファイルが記憶されたファイル記憶部より検索するステップと、
検索されたファイルに前記画面に入力された別名称を関連付けるステップと、
指定された資料ファイルと別名称とをネットワークを通じて前記資料ファイル管理装置へ送信するステップと
を有することを特徴とする資料ファイル送信方法。
【発明の詳細な説明】
【０００１】
【発明の属する技術分野】
本発明は、例えば資料ファイル送信装置、資料ファイル管理装置、資料ファイル送信プログラム、資料ファイル送信方法に関する。
【０００２】
【従来の技術】
従来、あるコンピュータからネットワークを通じて他のコンピュータへ情報を伝送する場合、送信側のコンピュータにインストールされているインターネットメールソフトウェア（以下メールソフトと称す）を利用する場合がほとんどである。
また、昨今、コンピュータ用として市販されているアプリケーションソフトウェアは、Ｗｅｂ技術を利用したものが多数を占めており、コンピュータで扱う情報量も格段に増えてきている。
このため、コンピュータのアプリケーションソフトウェアで作成した資料ファイル、あるいは外部からコンピュータに取り込んだファイル（図面・イメージ・文書オブジェクト等）をネットワークを通じて他のコンピュータへ送信する場合、メールソフトで送信する電子メールの添付資料として付加させるニーズが増えている。
【０００３】
そこで、メールソフトの添付ファイル機能を、Ｗｅｂを利用したアプリケーションソフトウェアに操作しやすい方法で提供する必要がある。この場合、添付したいファイルをコンピュータから他のコンピュータへ送信することを特に意識しないでも操作できることが重要となる。
【０００４】
この種の先行技術としては、例えば電子メールの本文と添付ファイルとを異なる伝送経路で送信することで、インターネットに接続された各装置の性能低下を防止する技術がある（例えば特許文献１参照）。
【０００５】
また、送信側で、ＦＴＰサーバ格納位置情報及びファイルのデータにファイルの表示機能有無チェックツールを組み込んだ実行形式ファイルを作成し、そのファイルを電子メールの添付ファイルとして送信することで、受信側の能力を意識することなくファイルを添付して送信できるようにした技術がある（例えば特許文献２参照）。
【０００６】
【特許文献１】
特開平１１−３４５１８２号公報
【特許文献２】
特開２００１−３３７９０４号公報
【０００７】
【発明が解決しようとする課題】
しかしながら、上記した技術は、インターネットに接続された他の装置の負荷を軽減したり、あるいは受信側で受信した添付ファイルを開く際に困らないようにすることを目的とした技術であって、送信側においてファイルを添付する際の操作性が良くないといった問題があった。
【０００８】
本発明はこのような課題を解決するためになされたもので、ファイルを送信する側の操作性を向上することのできる資料ファイル送信装置、資料ファイル管理装置、資料ファイル送信プログラム、資料ファイル送信方法を提供することを目的としている。
【０００９】
【課題を解決するための手段】
上記した目的を達成するために、この発明の資料ファイル送信装置は、ネットワーク上の資料ファイル管理装置へ資料ファイルを送信する資料ファイル送信装置において、資料ファイルが記憶されたファイル記憶部と、資料ファイル操作用の画面を表示する画面表示部と、前記画面より送信すべき資料ファイルとして指定されたファイルを前記ファイル記憶部より検索する検索部と、検索されたファイルに前記画面に入力された別名称を関連付ける別名称入力部と、指定された資料ファイルと別名称とをネットワークを通じて前記資料ファイル管理装置へ送信する送信部とを具備したことを特徴としている。
【００１０】
本発明の資料ファイル管理装置は、資料ファイルとその資料ファイルの別名称をネットワークを通じて受信する受信部と、前記受信手段により受信された資料ファイルおよび別名称に対する管理用のキー情報を発行するキー情報発行部と、前記キー情報発行部により発行されたキー情報と、受信された前記別名称とを対応付けて登録するキー情報別名称登録部と、前記キー情報発行部により発行されたキー情報をフォルダ名としたフォルダを作成してそのフォルダの配下に、受信された資料ファイルを登録するファイル登録部とを具備したことを特徴としている。
【００１１】
本発明の資料ファイル送信プログラムは、ネットワーク上の資料ファイル管理装置へ資料ファイルを送信する資料ファイル送信装置に処理を実行させる資料ファイル送信プログラムにおいて、前記資料ファイル送信装置を、資料ファイルが記憶されたファイル記憶部と、資料ファイル操作用の画面を表示する画面表示部と、前記画面より送信すべき資料ファイルとして指定されたファイルを前記ファイル記憶部より検索する検索部と、検索されたファイルに前記画面に入力された別名称を関連付ける別名称入力部と、指定された資料ファイルと別名称とをネットワークを通じて前記資料ファイル管理装置へ送信する送信部として機能させることを特徴としている。
【００１２】
本発明の資料ファイル送信方法は、ネットワーク上の資料ファイル管理装置へ資料ファイルを送信する資料ファイル送信方法において、資料ファイル操作用の画面を表示するステップと、前記画面より送信すべき資料ファイルとして指定されたファイルを、資料ファイルが記憶されたファイル記憶部より検索するステップと、検索されたファイルに前記画面に入力された別名称を関連付けるステップと、指定された資料ファイルと別名称とをネットワークを通じて前記資料ファイル管理装置へ送信するステップとを有することを特徴としている。
【００１３】
本発明では、資料ファイル送信装置に資料ファイル操作用の画面を表示させ、その画面より、あるファイルが、送信すべき資料ファイルとして指定された場合に、ファイル記憶部より該当ファイルを検索し、検索結果のファイルを画面に表示する。そして、検索結果のファイルである資料ファイルに対して別名称が入力されると、その別名称と資料ファイルとを関連付けた上で、その別名称と資料ファイルとをネットワークを通じて資料ファイル管理装置へ送信するので、添付ファイルの実体名称以外に利用者が判り易い別名称で資料ファイルを管理できるようになる。また、ファイル送信側の利用者は、資料ファイルの検索や指定、登録操作を簡便な指定操作で行えるようになる。
【００１４】
【発明の実施の形態】
以下、本発明の実施の形態を図面を参照して詳細に説明する。
図１は本発明に係る一つの実施形態のクライアント・サーバシステムの構成を示す図である。
【００１５】
図１に示すように、この実施形態のクライアント・サーバシステムは、資料ファイル管理装置としてのサーバコンピュータ１（以下サーバ１と称す）と、資料ファイル送信装置としてのクライアントコンピュータ２ａ，２ｂ（以下クライアント２ａ，２ｂと称す）とを例えばインターネットあるいはＬＡＮ等のネットワーク３を介して接続して構成されている。サーバ１およびクライアント２ａ，２ｂは、ＣＰＵ、メモリ、ハードディスク装置、ＣＤ−ＲＯＭドライブ等の情報読取装置、ＬＡＮインターフェース装置、キーボード、マウス等の入力装置、モニタ等の表示装置を備えている。ハードディスク装置には、オペレーティングシステム（ＯＳ）の他、アプリケーションプログラム（資料ファイル送信プログラム等）が格納されている。また、ハードディスク装置には、アプリケーションプログラムにより処理されるデータを記憶する記憶部（データベース１あるいはファイル記憶部２０等）が設定されている。
【００１６】
クライアント２ａ，２ｂのハードディスク装置にインストールされているアプリケーションプログラムは、図２に示すように、ファイル記憶部２０、画面表示部２１、添付ファイル入力（検索）部２２、別名称入力部２３、添付ファイル・別名称送信部２４等の機能を有している。
ファイル記憶部２０には、自マシンで作成された送信対象の資料ファイル（あるいは外部から入力された資料ファイル）が記憶されている。なお、以下資料ファイルを添付ファイルと称す。画面表示部２１は、添付ファイル操作用の画面（以下操作画面と称す）を表示する。添付ファイル入力（検索）部２２は、操作画面より添付ファイルとして指定されたファイルを検索する。別名称入力部２３は、検索された添付対象のファイルに、操作画面に入力された別名称を関連付ける。添付ファイル・別名称送信部２４は、添付ファイルとこの添付ファイルに関連付けられた別名称とを送信する。
【００１７】
一方、サーバ１のハードディスク装置には、データベース１０が設けられている。このデータベース１０は、添付ファイル保存部１１、キー情報別名称記憶部１２、キー情報発番マスタ１３等を有している。添付ファイル保存部１１には、各クライアント２ａ，２ｂから受信された添付ファイル（実体）が保存される。キー情報別名称記憶部１２には、キー情報と添付ファイル名称とが対応付けて記憶される。キー情報発番マスタ１３は、キー情報発行部１５により発行されるキー情報が所定の発番ルールに基づいて記憶されている。
また、サーバ１のハードディスク装置にインストールされているアプリケーションプログラムは、添付ファイル・別名称受信部１４、キー情報発行部１５、キー情報別名称登録部１６、添付ファイル登録部１７等の機能を有している。
添付ファイル・別名称受信部１４は、各クライアント２ａ，２ｂよりネットワーク３を通じて送信されてきた添付ファイルと別名称とを受信する。キー情報発行部１５は、添付ファイル・別名称受信部１４により受信された添付ファイルと別名称についての管理用のキー情報を発行する。
キー情報別名称登録部１６は、キー情報と添付ファイル名と別名称とを対応させてキー情報別名称記憶部１２に登録する。
具体的には、受信された添付ファイルがＫ００１￥ＳＨＩＲＹＯ−１．ｐｄｆ、ＳＨＩＲＹＯ−２．ｘｌｓ等であり、それぞれの別名所が参考資料（１）、参考資料（２）であり、このとき発行されたキー情報が例えばＫ００１等である場合、図３に示すように、キーＫ００１に対してＳＨＩＲＹＯ−１．ｐｄｆ、参考資料（１）が関連付けられ、また、同じキーＫ００１に対してＳＨＩＲＹＯ−２．ｘｌｓ、参考資料（２）が関連付けられる。
添付ファイル登録部１７は、添付ファイル・別名称受信部１４により受信された添付ファイル（実体）を添付ファイル保存部１１に登録する。この際、添付ファイル登録部１７は、キー情報をフォルダ名としたフォルダを作成してそのフォルダの配下に添付ファイル（実体）を登録する。
具体的には、上述したように受信された添付ファイルがＫ００１￥ＳＨＩＲＹＯ−１．ｐｄｆ、ＳＨＩＲＹＯ−２．ｘｌｓであり、キー情報がＫ００１の場合、図４に示すように、Ｋ００１￥ＳＨＩＲＹＯ−１．ｐｄｆ、ＳＨＩＲＹＯ−２．ｘｌｓ等というディレクトリ構成でファイル登録が行われる。
【００１８】
以下、図５〜図１１を参照してこのクライアント・サーバシステムの動作を説明する。なお、この例では、クライアント２ａからサーバ１へ添付ファイルを送信する動作について説明する。
この場合、クライアント２ａにおいて、アプリケーションソフトウェアを起動すると、初期画面として図６に示すような操作画面４１が画面表示部２１により表示される（Ｓ１０１）。この操作画面４１には、添付するファイル名を指定するファイル名指定欄４２と、ファイル検索用のファイル検索ボタン４３と、指定ボタン４４、添付ファイルの数を示す番号欄４５と、添付するファイルに対して利用者が付与する添付資料名称の入力欄４６と、検索により指定されたファイルのファイル名の表示欄４７と、作成日の表示欄４８と、ファイル操作ボタン４９と、登録ボタン５０が設けられている。
【００１９】
ここで、利用者がファイル名指定欄４２に添付対象のファイル名として例えば「Ｃ：Ｍｙ  Ｄｏｃｕｍｅｎｔｓ￥ＳＨＩＲＹＯ．ｄｏｃ」等を入力した後、マウス操作にて、図７に示すように、操作画面４１のファイル検索ボタン４３にカーソルを合わせて、ファイル検索ボタン４３の選択操作を行うと、添付ファイル入力（検索）部２２は、入力されたファイル名のファイルをファイル記憶部２０（ハートディスク装置あるいはＣＤ−ＲＯＭドライブ等にセットされている記憶媒体）で検索し（Ｓ１０２）、検索結果として番号欄４５に「１」、入力欄４６は空欄、表示欄４７に「ＳＨＩＲＹＯ．ｄｏｃ」、表示欄４８に「２００２／０９／０１」、ファイル操作ボタン４９に「削除」等を表示する。なお、ファイル名指定欄４２への指定を変えることにより、ＣＤ−ＲＯＭドライブ等にセットされている記憶媒体を検索するようにもできる。表示欄４８に表示される作成日はコンピュータ自体が持つ時計機能の情報が読み出されて表示される。
【００２０】
ここで、利用者が、図８に示すように、指定ボタン４４を選択操作すると（Ｓ１０３）、別名称入力部２３は、空欄の入力欄４６をアクティブにし、入力欄４６がキー入力可能な状態になる。
入力欄４６がキー入力可能な状態になったことで、利用者が所望の添付資料名称、例えば○○○○○○○資料等をキー入力した後（Ｓ１０４）、指定ボタン４４を選択操作すると、別名称入力部２３は、検索された添付対象のファイルに、操作画面４０の入力欄４６に入力された別名称（添付資料名称）を関連付ける。
そして、利用者が、図９に示すように、送信ボタンである登録ボタン５０を選択操作（押下）すると（Ｓ１０５）、添付ファイル・別名称送信部２４は、まず、入力された別名称がサーバ１へ転送する（Ｓ１０６）。続いて、添付ファイル・別名称送信部２４は、指定された添付ファイルをサーバ１へ転送する（Ｓ１０７）。別名称と添付ファイルを送信後、添付ファイル・別名称送信部２４は、登録完了通知の返信を受信するのを待機する状態、つまり、登録完了通知待ちの状態となる（Ｓ１０８）。
サーバ１では、送信された別名称がネットワーク３を通じて添付ファイル・別名称受信部１４により受信され（Ｓ１０９）、その後、送信された添付ファイルが受信されると（Ｓ１１０）、キー情報発行部１５は、キー情報発番マスタ１３を参照して、添付ファイル・別名称受信部１４により受信された別名称と添付ファイルについての管理用のキー情報を発行し（Ｓ１１１）、キー情報別名称登録部１６に渡す。
キー情報別名称登録部１６は、図３に示したようにキー情報と添付ファイル名と別名称とを対応させてキー情報別名称記憶部１２に登録する（Ｓ１１２）。
また、添付ファイル登録部１７は、キー情報をフォルダ名としたフォルダを作成してそのフォルダの配下に添付ファイル（実体）を登録する（Ｓ１１３）。
このようにしてデータベース１０への登録が完了すると、添付ファイル登録部１７は、登録完了通知を送信する（Ｓ１１４）。
【００２１】
待機状態となっていたクライアント２ａにおいて、登録完了通知が受信されると（Ｓ１１５）、画面表示部２１により登録完了メッセージ画面が表示される（Ｓ１１６）。サーバ１のデータベース１０に添付ファイルが登録されると、画面表示部２１によって操作画面４１の該当ファイルの各表示欄の背景色が変化されるので、複数のファイルを操作中の利用者は、登録前のファイルか登録済みのファイルかを確実に識別できる。
【００２２】
ここで、サーバ１のデータベース１０に登録されている添付ファイルを削除する場合の操作について説明する。
この場合、データベース１０に添付ファイルを登録した後、操作画面４１は、図１０に示すように、登録済みファイルの表示欄の背景色が変化されている。なお、図面上、背景色が変化している様子を斜線で示している。
この操作画面４１にて、利用者が所望の削除対象のファイルを選び、その欄の右横に表示されている削除ボタン４９を選択操作すると、サーバ１のデータベース１０内の該当フォルダの該当ファイルが削除されて、そのフォルダ内にファイルが一つの場合は、図６に示した初期画面に戻る。
また、図１１に示すように、既に登録されているＮｏ．１の添付ファイルにＮｏ．２の添付ファイルを追加［指定］した直後において、Ｎｏ．２の添付資料名称は入力できるようになる。この時点では、指定したＮｏ．２の添付ファイルは、クライアント２ａに存在している。添付資料名称の○○○○○○○資料および△△△△△△△資料がファイルに直接連動しており、マウス等でカーソルを移動させていずれかの名称を選択操作すると、その選択したファイルの内容を参照できる。この場面では、サーバ１のデータベース１０に存在する添付ファイルとクライアント２ａに存在する添付ファイルとが混在している状態だが、利用者は特別な意識なしにそれぞれのファイルを参照することができる。
【００２３】
このようにこの実施形態のクライアント・サーバシステムによれば、クライアント２ａ，２ｂに操作画面４１を表示して、送信対象のファイルに対する別名付与およびファイル転送によるサーバ登録を可能にしたことで、添付ファイルの実体名称以外に利用者が判り易い別名称を添付ファイルに付けることができるようになる。また、ファイル送信側であるクライアント２ａ，２ｂの利用者は、添付ファイルの検索や指定、登録操作を簡便な指定操作で行えるようになる。
一方、サーバ１においては、クライアント２ａ，２ｂから送信されてきた添付ファイルと別名称に対して、キー情報を発行して正確に管理できる状況を構築することができる。さらに、データベース１０上のキー情報とファイルシステム上のフォルダ名とを一致させて添付ファイルの保存場所を紐付けすることで、操作画面からサーバ１側に保存されている添付ファイルと別名称とを閲覧および検索できる。また、キー情報をフォルダ名としたフォルダを作成して添付ファイルを保存することで１つのキー情報に複数の添付ファイルを登録できる。
【００２４】
すなわち、利用者は、クライアント２ａ，２ｂからサーバ１へファイルを容易に登録することが可能になるので、より多彩な情報を保有した情報管理システムを構築することができる。また、利用者はクライアント２ａ，２ｂに存在するファイルであるか、サーバ１に存在するファイルであるかを特別に意識せずに操作することができる。
この結果、クライアント・サーバシステムにおける、情報管理方式の一つとして、添付資料の管理を簡便な操作により扱えるようになる。
【００２５】
なお、本発明は上記実施形態のみに限定されるものではない。
上述した実施形態の動作は、クライアント２ａとサーバ１との間のみの動作であったが、クライアント２ｂとサーバ１との間でも同様の動作となる。また、サーバ１の機能をクライアント２ａ、２ｂに備えることで、クライアント２ａとクライアント２ｂ間でのファイル転送およびファイル管理が可能になる。
【００２６】
また、上記実施形態におけるクライアントのアプリケーションソフトウェアおよびサーバ１のアプリケーションソフトウェアは、フレキシブルディスクなどのコンピュータが読み出し可能な記憶媒体に記憶されていても良く、また、ソフトウェア（プログラム）単体としてＬＡＮやインターネットなどのネットワーク上を伝送されるものでもよい。この場合、記憶媒体に記憶されたソフトウェア（プログラム）をコンピュータが読み出したり、ＬＡＮやインターネット上のサイト（サーバ）からコンピュータがダウンロードしてハードディスクにインストールすることにより、各実施形態における処理が可能になる。
つまり、本発明におけるソフトウェア（プログラム）は、コンピュータと独立した記憶媒体に記憶されているものだけに限らず、ＬＡＮやインターネットなどの伝送媒体を介して流通されるものも含まれる。
【００２７】
なお、プログラムは、メモリ、フレキシブルディスク、ハードディスク、光ディスク（ＣＤ−ＲＯＭ、ＣＤ−Ｒ、ＤＶＤなど）、光磁気ディスク（ＭＯなど）、半導体メモリなどの記憶媒体に、コンピュータが読み取り可能に記憶されているものであれば、その言語形式、記憶形式はいずれの形態であっても良い。
また、記憶媒体からコンピュータにインストールされたプログラムの指示に基づき、コンピュータ上で稼動しているＯＳ（オペレーティングシステム）や、データベース管理ソフト、ネットワークソフトなどのＭＷ（ミドルウェア）などが本実施形態を実現するための各処理の一部を実行しても良い。
【００２８】
さらに、記憶媒体は、コンピュータと独立した媒体に限らず、ＬＡＮやインターネットなどにより伝送されたプログラムをダウンロードして記憶または一時記憶した記憶媒体も含まれる。また、記憶媒体は一つに限らず、複数の媒体から本実施形態における処理が実行される場合も本発明における記録媒体に含まれ、媒体構成はいずれの構成であっても良い。
なお、コンピュータは、記憶媒体に記憶されたプログラムに基づき、本実施形態における各処理を実行するものであって、パソコンなどの一つからなる装置、複数の装置がネットワーク接続されたシステムなどのいずれの構成であっても良い。
また、コンピュータとは、パーソナルコンピュータ（パソコン）に限らず、通信機器、情報処理機器に含まれる演算処理装置、マイコンなども含み、プログラムによって本発明の機能を実現することが可能な機器、装置を総称している。
【００２９】
【発明の効果】
以上説明したように本発明によれば、ファイルを送信する側の操作性を向上することができる。
【図面の簡単な説明】
【図１】本発明の一つの実施形態のクライアント・サーバシステムの構成を示す図。
【図２】図１のクライアント・サーバシステムのクライアントとサーバのそれぞれの機能構成を示す図。
【図３】キー情報別名称記憶部の登録内容を示す図。
【図４】添付ファイルを保存した状態のディレクトリ構成を示す図。
【図５】このクライアント・サーバシステムの動作を示すフローチャート。
【図６】操作画面の初期状態を示す図。
【図７】操作画面で添付ファイル名を検索あるいは入力した状態を示す図。
【図８】データベースに登録すべき添付ファイルを指定した状態を示す図。
【図９】登録ボタンを押してＮｏ．１の添付ファイルを登録した状態を示す図。
【図１０】データベースに登録されているＮｏ．１の添付ファイルを削除するために削除ボタンを選択した状態を示す図。
【図１１】既にデータベースに登録されているＮｏ．１の添付ファイルが表示された操作画面でＮｏ．２の添付ファイルを追加［指定］した直後の状態を示す図。
【符号の説明】
１…サーバ、２ａ，２ｂ…クライアント、３…ネットワーク、１０…データベース、１１…添付ファイル保存部、１２…キー情報別名称記憶部、１３…キー情報発番マスタ、１４…添付ファイル・別名称受信部、１５…キー情報発行部、１６…キー情報別名称登録部、１７…添付ファイル登録部、２０…ファイル記憶部、２１…画面表示部、２２…添付ファイル入力（検索）部、２３…別名称入力部、２４…添付ファイル・別名称送信部。
【図１】
2004287854.tif 000003
【図２】
2004287854.tif 000004
【図３】
2004287854.tif 000005
【図４】
2004287854.tif 000006
【図５】
2004287854.tif 000007
【図６】
2004287854.tif 000008
【図７】
2004287854.tif 000009
【図８】
2004287854.tif 000010
【図９】
2004287854.tif 000011
【図１０】
2004287854.tif 000012
【図１１】
2004287854.tif 000013